(57)【要約】【課題】マイクロフォンの角度を簡単に調整することができるマイクロフォンホルダーを提供する。【解決手段】マイクロフォン７をロッド８に保持して角度調整するマイクロフォンホルダー１００であって、ロッド８に連接され得る継手部２１と、継手部２１に繋がる枢支部２２と、を有する継手ユニット２と、枢支部２２に枢接されて回動軸線Ｌで回動できる回動手段３１と、マイクロフォン７を保持する保持手段３２と、を有する保持ユニット３と、継手ユニット２と保持ユニット３との間に配置され、且つ回動手段３１と枢支部２２におけるいずれか一者に配置され、それぞれに回動軸線Ｌを周る周方向に沿って間が隔たる複数の係合溝を有する第１の係合手段と、回動手段３１と枢支部２２における他の一者に配置され、複数の係合溝のいずれか１つと選択的に係合する第２の係合手段と、を有する位置決めユニットと、を備える。【選択図】図２
0003234550.tif 000002
【実用新案登録請求の範囲】
【請求項１】
マイクロフォンを所定のロッドの端部に保持して前記マイクロフォンの前記ロッドに対する角度を調整するためのマイクロフォンホルダーであって、
一端が継手部として前記ロッドの前記端部に固定可能であり、且つ、枢支部が形成されている継手ユニットと、
前記枢支部を通過する所定の回動軸線を中心として前記枢支部に対して回動することができるよう、前記枢支部に枢接されている回動手段と、前記マイクロフォンを前記回動手段より前記継手ユニットの前記枢支部から離れた位置において保持可能に構成されている保持手段と、を有している保持ユニットと、
前記回動手段及び前記枢支部におけるいずれか一者に配置されている第１の係合手段と、前記回動手段及び前記枢支部における他の一者に配置されている第２の係合手段と、を有し、前記継手ユニットと前記保持ユニットとの間に配置されている位置決めユニットと、を備え、
前記第１の係合手段は、それぞれに前記回動軸線を周る周方向に沿って間隔をあけている複数の係合溝を有するように構成されており、
前記第２の係合手段は、前記第１の係合手段が有する１つの前記係合溝に係合可能となる形状に形成されていると共に、前記複数の係合溝のいずれか１つと選択的に係合するように構成されていて、前記第１の係合手段と前記第２の係合手段との係合により前記マイクロフォンの角度が固定される
ことを特徴とするマイクロフォンホルダー。
【請求項２】
前記継手ユニットの前記枢支部は、前記継手部からそれぞれに離れるように並行に延伸して、前記継手部と共に前記回動手段を収容する収容空間を画成する一対の枢支アームを有しており、前記保持ユニットの前記回動手段は、前記収容空間内に収容されると共に、前記一対の枢支アームに枢接されている、
ことを特徴とする請求項１に記載のマイクロフォンホルダー。
【請求項３】
前記保持ユニットの前記回動手段は、前記一対の枢支アームにそれぞれに面している２つの側面があり、
前記位置決めユニットは、前記収容空間内で前記回動手段の前記２つの側面及び前記一対の枢支アームの間にそれぞれに配置されている、２つの前記第１の係合手段及び２つの前記第２の係合手段を備えている、
ことを特徴とする請求項２に記載のマイクロフォンホルダー。
【請求項４】
２つの前記第１の係合手段は、前記回動手段の前記２つの側面にそれぞれに配置されており、
２つの前記第２の係合手段は、前記一対の枢支アームにそれぞれに配置されている、
ことを特徴とする請求項３に記載のマイクロフォンホルダー。
【請求項５】
前記第１の係合手段は、隣り合う前記係合溝の間に表面がアーク状となるようにそれぞれに配置されている複数の係合案内突起を更に有している、
ことを特徴とする請求項１〜４のいずれか一項に記載のマイクロフォンホルダー。
【請求項６】
前記回動手段と前記枢支部との相対回転の枢軸として、前記回動軸線に沿って延伸して、前記回動手段と前記枢支部とを貫通する枢接ユニットを更に備えている、
ことを特徴とする請求項１〜５のいずれか一項に記載のマイクロフォンホルダー。
【請求項７】
前記枢接ユニットは、前記回動手段と前記枢支部とを貫通するボルトと、前記ボルトの先端と螺合するナットと、を有している、
ことを特徴とする請求項６に記載のマイクロフォンホルダー。
【請求項８】
前記保持ユニットの前記保持手段は、一対の挟持片を有しており、当該一対の挟持片は、いずれも弾性を有する材料により、互いに向かい合う凹陥開口を有するアーチ状に形成され、当該一対の挟持片がそれぞれに有する前記凹陥開口内に前記マイクロフォンが差し込まれると、当該一対の挟持片が自らの弾性で互いに接近するよう付勢されて前記マイクロフォンを挟持することができるように構成されている、
ことを特徴とする請求項１〜７のいずれか一項に記載のマイクロフォンホルダー。
【請求項９】
前記位置決めユニットは、前記保持ユニットに前記複数の係合溝を取り囲むように配置されていると共に、それぞれが各前記係合溝に対応している複数の角度表示部を更に有している、
ことを特徴とする請求項１〜８のいずれか一項に記載のマイクロフォンホルダー。
【考案の詳細な説明】
【技術分野】
【０００１】
本考案はマイクロフォンホルダーに関し、具体的には、マイクロフォンを保持してその角度を調整するためのマイクロフォンホルダーに関する。
【背景技術】
【０００２】
図１を参照して従来のマイクロフォンスタンド用の角度調整装置の構成について説明する。ここで、図１は従来のマイクロフォンスタンド用の角度調整装置９０の構成が示される斜視図である。
【０００３】
図１に示されるように、マイクロフォン９２を搭載する従来の角度調整装置９０は、ロッド９１の端部９１１に枢接され、当該マイクロフォン９２のロッド９１に対する角度を調整可能にするものである。
【０００４】
従来の角度調整装置９０は、図１に示されるように、ロッド９１の端部９１１に回動可能に枢接され、搭載するマイクロフォン９２の角度を変更可能にする回動部９０１と、ロッド端部９１及び回動部９０１の両方に枢接され、弛緩又は緊締操作を実行することにより回動部９０１（及び回動部９０１に搭載されるマイクロフォン９２）のロッド９１に対する角度を固定するための位置決め部９０２と、を備えている。
【０００５】
このような構成によれば、位置決め部９０２を弛緩してマイクロフォン９２を搭載する回動部９０１を望ましい角度に回転させて調整してから、位置決め部９０２を緊締することによって、当該マイクロフォン９２の角度を望ましい角度に固定することができる。
【考案の概要】
【考案が解決しようとする課題】
【０００６】
上記のようなマイクロフォンスタンド用の角度調整装置は、マイクロフォンを載せることができるだけではなく、位置決め部に対して弛緩及び緊締操作を実行することによりマイクロフォンのロッドに対する角度を調整する構成になっている。しかしながら、上記した角度調整を行なうには、依然として角度調整の前にまず位置決め部を弛緩してから、角度調整が終わった後に緊締して固定する操作が必要であるため、使用者にとって不便である。そのため、従来のマイクロフォンスタンド用の角度調整装置に関する設計を改善する余地がある。
【０００７】
よって、本考案は上記問題点に鑑みて、上記欠点を解決できるマイクロフォンホルダーを提供することを目的とする。
【課題を解決するための手段】
【０００８】
上記目的を達成すべく、本考案は以下のマイクロフォンホルダーを提供する。
【０００９】
即ち、マイクロフォンを所定のロッドの端部に保持して前記マイクロフォンの前記ロッドに対する角度を調整するためのマイクロフォンホルダーであって、
一端が継手部として前記ロッドの前記端部に固定可能であり、且つ、枢支部が形成されている継手ユニットと、
前記枢支部を通過する所定の回動軸線を中心として前記枢支部に対して回動することができるよう、前記枢支部に枢接されている回動手段と、前記マイクロフォンを前記回動手段より前記継手ユニットの前記枢支部から離れた位置において保持可能に構成されている保持手段と、を有している保持ユニットと、
前記回動手段及び前記枢支部におけるいずれか一者に配置されている第１の係合手段と、前記回動手段及び前記枢支部における他の一者に配置されている第２の係合手段と、を有し、前記継手ユニットと前記保持ユニットとの間に配置されている位置決めユニットと、を備え、
前記第１の係合手段は、それぞれに前記回動軸線を周る周方向に沿って間隔をあけている複数の係合溝を有するように構成されており、
前記第２の係合手段は、前記第１の係合手段が有する１つの前記係合溝に係合可能となる形状に形成されていると共に、前記複数の係合溝のいずれか１つと選択的に係合するように構成されていて、前記第１の係合手段と前記第２の係合手段との係合により前記マイクロフォンの角度が固定されることを特徴とするマイクロフォンホルダーを提供する。
【考案の効果】
【００１０】
上記構成により、本考案に係るマイクロフォンホルダーは、位置決めユニットにおける複数の係合溝を有している第１の係合手段及び当該複数の係合溝のいずれか１つと選択的に係合する第２の係合手段によって、従来のように弛緩及び緊締操作を実行する必要がなく、マイクロフォンの角度を簡単に調整することができる。
【図面の簡単な説明】
【００１１】
【図１】従来のマイクロフォンスタンド用の角度調整装置の構成が示される斜視図
【図２】本考案に係るマイクロフォンホルダーの一実施形態の構成が示される斜視図
【図３】本実施形態のマイクロフォンホルダーの構成が示される分解斜視図
【図４】図２において回動軸線Ｌに沿った断面が示される断面図
【図５】図２において回動軸線Ｌに略直交するＶ−Ｖ線に沿った断面が示される断面図
【考案を実施するための形態】
【００１２】
本考案に係るマイクロフォンホルダー１００は、マイクロフォン７をマイクロフォンスタンドにおけるロッド８の端部に保持して当該マイクロフォン７のロッド８に対する角度を調整することができるものである。
【００１３】
以下、本考案に係るマイクロフォンホルダー１００について図面を参照して説明する。
【００１４】
図２〜５を参照して本考案に係るマイクロフォンホルダー１００の一実施形態の構成を説明する。ここで、図２は本考案に係るマイクロフォンホルダー１００の一実施形態の構成が示される斜視図であり、図３は本実施形態のマイクロフォンホルダー１００の構成が示される分解斜視図であり、図４は図２において後述する回動軸線Ｌに沿った断面が示される断面図であり、また、図５は図２において回動軸線Ｌに略直交するＶ−Ｖ線に沿った断面が示される断面図である。
【００１５】
本考案に係る一実施形態のマイクロフォンホルダー１００は、図２〜図３に示されるように、継手ユニット２と、保持ユニット３と、位置決めユニット４と、枢接ユニット５と、を備えている。
【００１６】
継手ユニット２は、図２〜図３に示されるように、一端がロッド８の端部に連接され得る継手部２１と、継手部２１の他端に繋がっている枢支部２２と、を有している。
【００１７】
なお、本実施形態では、継手部２１は、一端がロッド８の端部を受け入れるスロット（図示せず）が形成されている。この構成によって、本考案のマイクロフォンホルダー１００をロッド８の端部に取り付けることができる。
【００１８】
枢支部２２は、図２〜図３に示されるように、それぞれに継手部２１の他端より継手部２１から離れるようにそれぞれに並行に延伸して、継手部２１と共に収容空間２２２を画成している一対の枢支アーム２２１を有するように形成されている。
【００１９】
保持ユニット３は、図２〜図３に示されるように、枢支部２２（即ち、一対の枢支アーム２２１）に枢接されていて枢支部２２に対して所定の回動軸線Ｌを中心として回動することができる回動手段３１と、マイクロフォン７を保持するよう、回動手段３１より枢支部２２から離れるように延伸している保持手段３２と、を有している。
【００２０】
より具体的に言うと、図２〜図３に示されるように、回動手段３１は、収容空間２２２に収容されて、一対の枢支アーム２２１にそれぞれに面している２つの側面３１１があり、且つ収容空間２２２内で一対の枢支アーム２２１に枢接されているものである。
【００２１】
保持手段３２は、図２〜図３に示されるように、一対の挟持片３２１を有している。当該一対の挟持片３２１は、それぞれに弾性を有する材料により作成され、且つ、互いに向かい合う凹陥開口３２２を有するアーチ状に形成され、当該一対の挟持片３２１がそれぞれに有する凹陥開口３２２内にマイクロフォン７が差し込まれると、当該一対の挟持片３２１が互いに離れるように押し広げられることで、当該一対の挟持片３２１が自らの弾性で互いに接近するよう付勢されて、マイクロフォン７を挟持することができるように構成されている。
【００２２】
なお、図２から見ると、マイクロフォン７を保持手段３２に装着する際に、当該マイクロフォン７を前後両端の開口から一対の挟持片３２１の間に挿入してもよく、当該マイクロフォン７を上から下へ当該一対の挟持片３２１の間に押し込んでもよい。
【００２３】
位置決めユニット４は、図３〜図４に示されるように、マイクロフォン７の角度を固定するように継手ユニット２と保持ユニット３との間に配置されているものである。
【００２４】
位置決めユニット４は、図３〜図５に示されるように、回動手段３１及び枢支部２２におけるいずれか一者に配置されている上に、それぞれに回動軸線Ｌを周る周方向に沿って間隔をあけて放射状に配置された複数の係合溝４１２を有している第１の係合手段４１と、回動手段３１及び枢支部２２における他の一者に配置されている上に、複数の係合溝４１２に係合可能となる形状に形成されていると共に複数の係合溝４１２のいずれか１つと選択的に係合する第２の係合手段４２と、回動手段３１に複数の係合溝４１２を取り囲むように配置されていると共に、それぞれが各係合溝４１２に対応している複数の角度表示部４４と、を有している。
【００２５】
なお、本実施形態では、図３〜図４に示されるように、位置決めユニット４は、２つの第１の係合手段４１と、２つの第２の係合手段４２と、を有し、且つ当該２つの第１の係合手段４１及び２つの第２の係合手段４２は、収容空間２２２内に回動手段３１の２つの側面３１１及び一対の枢支アーム２２１の間にそれぞれに配置されている。
【００２６】
より具体的に言うと、図３〜図４に示されるように、２つの第１の係合手段４１は、回動手段３１の２つの側面３１１にそれぞれに配置されている一方、２つの第２の係合手段４２は、一対の枢支アーム２２１にそれぞれに配置されている。勿論、ここで当該２つの第１の係合手段４１及び２つの第２の係合手段４２の設置位置は上記のように限定されない。
【００２７】
本実施形態では、当該第１の係合手段４１及び第２の係合手段４２の数量は、２つずつ有しているが、ここでそれに限定されず、それぞれを少なくとも１つ設置すれば同様な効果が得られる。
【００２８】
第１の係合手段４１は、図４〜図５に示されるように、隣り合う係合溝４１２の間に表面がアーク状となるようにそれぞれに配置されている複数の係合案内突起４１１を更に有している。このような構成によって、保持ユニット３を枢支部２２に対して回動してマイクロフォン７の角度を調整している際に、当該保持ユニット３がよりスムーズに移動することができる。
【００２９】
複数の角度表示部４４は、図３及び図５に示されるように、枢支部２２から露出して、保持ユニット３の継手ユニット２に対する角度を表すためのものである。なお、本実施形態では、図３に示されるように、その角度は、目盛り線で示されているが、他の実施形態において、例えば数字で示されてもよく、そして無論、目盛り線と数字の両方が示される構成や、これら以外の目印を用いることも可能である。
【００３０】
枢接ユニット５は、図３に示されるように、回動軸線Ｌに沿って延伸して、回動手段３１と枢支部２２との相対回転の枢軸としての役割を果たし、且つ、回動手段３１と枢支部２２とを貫通するボルト５１と、ボルト５１の先端と螺合するナット５２と、を有している。なお、本実施形態では、枢接ユニット５は、図３に示されるように、ボルト５１及びナット５２から構成されたものであるが、ここでそれに限定されず、他の実施形態において同様な機能を有するものであってもよい。
【００３１】
なお、本実施形態では、継手ユニット２と位置決めユニット４とは、ＡＢＳ樹脂（アクリロニトリル・ブタジエン・スチレン共重合合成樹脂）から作成されたものであるが、ここでそれに限定されず、他の実施形態において他の剛性、硬度、曲げ疲労性といった優れた機械的特性を有する材料を採用してもよい。また、保持ユニット３は、ポリエステル系熱可塑性エラストマー（Thermoplastic Polyester Elastomer、略称：ＴＰＥＥ）から作成されたものであるが、ここでそれに限定されず、他の実施形態において他の硬度及び柔軟性（可撓性）を両立する材料を採用してもよい。
【００３２】
上記の構成によって、本考案に係るマイクロフォンホルダー１００は、以下の利点を有する。
【００３３】
第１に、マイクロフォン７を保持ユニット３の一対の挟持片３２１で挟持して、継手ユニット２の継手部２１を介して当該マイクロフォン７をマイクロフォンスタンドのロッド８上に保持する。そして、保持ユニット３を継手ユニット２に対して回動し、第２の係合手段４２が同時に第１の係合手段４１における係合溝４１２の１つ、即ち、望ましい角度に対応する係合溝４１２と係合することによって、図５における矢印で示されるように、マイクロフォン７のロッド８に対する角度を変更且つ固定することができる。
【００３４】
このため、使用者はマイクロフォン７の角度を調整する際に、従来のような連結具を緊締及び弛緩する操作を実行することなく、直接に回動して角度調整を行なうことができる。
【００３５】
第２に、いずれか２つの隣り合う係合溝４１２の間にアーク状に形成されている複数の係合案内突起４１１によって、マイクロフォン７の角度を調整している際に、第２の係合手段４２は各係合溝４１２の間でよりスムーズに移動することができるだけではなく、係合溝４１２内に案内されやすくなる。
【００３６】
第３に、弾性を有する材料で作成された一対の挟持片３２１によって、異なる太さのマイクロフォン７を保持することができる。
【００３７】
第４に、継手ユニット２の継手部２１は、マイクロフォンスタンドのロッド８と一体形成されたものではないので、本考案のマイクロフォンホルダー１００は、使用者のニーズに応じて、異なるマイクロフォンスタンドのロッド８に装着され得る。
【００３８】
それによって、本実施形態のマイクロフォンホルダー１００は、従来に比べて構成が簡単でより優れた操作便利性を得ることができることに加え、連結具を緊締又は弛緩する操作によってもたられ得る損壊が発生しなくなり、使用寿命を延ばすこともできる。
【００３９】
総括すると、本考案に係るマイクロフォンホルダー１００は、位置決めユニット４における複数の係合溝４１２を有している第１の係合手段４１及び複数の係合溝４１２のいずれか１つと選択的に係合する第２の係合手段４２によって、従来のような弛緩及び緊締操作が必要なく、マイクロフォン７の角度を簡単に調整することができる。
【００４０】
上記実施形態のように、本考案は、その要旨を逸脱しない範囲で種々の変更が可能である。
【産業上の利用可能性】
【００４１】
上記のように構成されたマイクロフォンホルダーは、マイクロフォンの角度を調整することに対する便利性を飛躍的に向上させるため、本考案は産業上の利用可能性がある。
【符号の説明】
【００４２】
９０  マイクロフォンスタンド用の角度調整装置
９０１  回動部
９０２  位置決め部
９１  ロッド
９１１  端部
９２  マイクロフォン
１００  マイクロフォンホルダー
２  継手ユニット
２１  継手部
２２  枢支部
２２１  枢支アーム
２２２  収容空間
３  保持ユニット
３１  回動手段
３１１  側面
３２  保持手段
３２１  挟持片
３２２  凹陥開口
４  位置決めユニット
４１  第１の係合手段
４１１  係合案内突起
４１２  係合溝
４２  第２の係合手段
４４  角度表示部
５  枢接ユニット
５１  ボルト
５２  ナット
７  マイクロフォン
８  ロッド
Ｌ  回動軸線
【図１】
0003234550.tif 000003
【図２】
0003234550.tif 000004
【図３】
0003234550.tif 000005
【図４】
0003234550.tif 000006
【図５】
0003234550.tif 000007